(57)【要約】      （修正有）【課題】糞が愛玩動物の体に直接触れることがなく、散歩時愛玩動物が動き回っても糞が散乱したり、回収袋が愛玩動物の体から外れたりすることがなく、愛玩動物も飼い主も清潔を保ちつつ糞を回収できるような愛玩動物用糞回収具を提供する。【解決手段】本体、糞収容袋７及び糞収容袋固定具５を有する愛玩動物用糞回収具であって、本体６は、磁石又は強磁性体を糞収容袋設置部近傍に有するものであり、愛玩動物の下半身を覆うような形状であり、糞収容袋固定具５は、磁石若しくは強磁性体、又はこれらを内蔵するものであり、本体６及び糞収容袋固定具５の少なくとも一方において磁石が存在し、糞収容袋７を本体６の磁石又は強磁性体上に載置し、糞収容袋固定具５をその上に載置し磁力によって糞収容袋７を本体６上に固定することによって装着するものである。【選択図】図５
0003217934.tif 000002
【実用新案登録請求の範囲】
【請求項１】
本体、糞収容袋及び糞収容袋固定具を有する愛玩動物用糞回収具であって、
本体は、磁石又は強磁性体を糞収容袋設置部近傍に有するものであり、
糞収容袋固定具は、磁石若しくは強磁性体、又はこれらを内蔵するものであり、本体及び糞収容袋固定具の少なくとも一方において磁石が存在し、
糞収容袋を本体の磁石若しくは強磁性体上に載置し、前記糞収容袋固定具をその上に載置し磁力によって糞収容袋を本体上に固定することによって装着するものであることを特徴とする愛玩動物用糞回収具。
【請求項２】
更に、本体を犬の体に装着するための装着具を有するものである請求項１記載の愛玩動物用糞回収具。
【請求項３】
糞収容袋は、樹脂製袋である請求項１又は２記載の愛玩動物用糞回収具。
【請求項４】
糞収容袋は、尻尾を通す穴を有するものである請求項１、２又は３記載の愛玩動物用糞回収具。
【考案の詳細な説明】
【技術分野】
【０００１】
本考案は、愛玩動物用の糞回収具に関するものである。
【背景技術】
【０００２】
犬等の愛玩動物の散歩時には、糞を持ち帰ることが必要であることから、飼い主は散歩時に糞取り具を持ち歩くことが必要である。このような糞取り具としては、愛玩動物が糞をした後に、それをスコップ状のものでとって、ごみ袋に入れるという方法が最も広く使用されている。
【０００３】
そのほかには、おむつタイプのものを愛玩動物に装着して愛玩動物が糞をしたときにも、おむつの中に保持されているもの等も知られている。（特許文献１、２）
しかしこのような方法であると、糞が愛玩動物の体に直接接触することになって、愛玩動物が不快感を覚えることがある点で好ましくない。
【０００４】
特許文献３，４等においては、回収袋を愛玩動物の肛門付近に装着させ、愛玩動物が糞をしたときには当該回収袋中に糞が入り、これによって愛玩動物の糞を回収することが開示されている。しかし、愛玩動物は散歩中に動き回るため、このような回収袋が体から外れてしまう、という不具合が多発してしまう。
【０００５】
特許文献５においては、犬の糞回収具において、袋収容袋を磁石によって固定することが記載されている。しかし、ベルト状物が記載されているのみで、具体的にどのようにして磁石で固定するかは明確にされていない。
【０００６】
更に、愛玩動物や飼い主の健康を考えると、清潔を維持しつつ愛玩動物の糞を回収することが望まれている。また、このような回収袋の設置が簡単に行えることも望まれる。
【先行技術文献】
【特許文献】
【０００７】
【特許文献１】特開２００７−１５９１２０号公報
【特許文献２】特開２０１１−１０９９４６号公報
【特許文献３】特開２０１１−２４５０５号公報
【特許文献４】特開２００６−１２９８５６号公報
【特許文献５】特開平１０−６６４７０号公報
【考案の概要】
【考案が解決しようとする課題】
【０００８】
本考案は上記に鑑み、糞が愛玩動物の体に直接触れることがないため愛玩動物も飼い主も清潔を保つことができ、かつ、糞収容袋が簡単に着脱できるような愛玩動物用糞回収具を提供することを目的とするものである。
【課題を解決するための手段】
【０００９】
本考案は、本体、糞収容袋及び糞収容袋固定具を有する愛玩動物用糞回収具であって、
本体は、磁石又は強磁性体を糞収容袋設置部近傍に有するものであり、
糞収容袋固定具は、磁石若しくは強磁性体、又はこれらを内蔵するものであり、本体及び糞収容袋固定具の少なくとも一方において磁石が存在し、
糞収容袋を本体の磁石若しくは強磁性体上に載置し、前記糞収容袋固定具をその上に載置し磁力によって糞収容袋を本体上に固定することによって装着するものであることを特徴とする愛玩動物用糞回収具である。
【００１０】
上記愛玩動物用糞回収具は、更に、本体を犬の体に装着するための装着具を有するものであってもよい。
上記糞収容袋は、樹脂製袋であることが好ましい。
上記糞収容袋は、尻尾を通す孔を有するものであってもよい。
【考案の効果】
【００１１】
本考案の愛玩動物用糞回収具は、愛玩動物の糞が動物に直接付着することがなく、糞収容袋が簡単に着脱可能である点で好ましいものである。
【図面の簡単な説明】
【００１２】
【図１】本考案の愛玩動物用糞回収具の一例を示す図面である。
【図２】本考案の愛玩動物用糞回収具の一例を示す図面である。
【図３】本考案の愛玩動物用糞回収具の一例を示す図面である。
【図４】本考案の愛玩動物用糞回収具の一例を示す図面である。
【図５】本考案の愛玩動物用糞回収具を愛玩動物に着せた状態の一例を示す図面である。
【考案を実施するための形態】
【００１３】
本考案の愛玩動物用糞回収具は、袋状の収容袋に愛玩動物の糞を回収することを目的としたものであり、この糞収容袋を糞回収具本体に取り付ける際に磁石を利用することを特徴とするものである。このような手法で糞回収袋を糞回収具本体に固定することで、愛玩動物が動き回っても回収具が外れることはなく、かつ、愛玩動物の糞が愛玩動物の体に直接触れることもなく、効率的に愛玩動物の糞を回収することができる。また、ボタン等を使用したものではないため、飼い主の手を汚す必要がなく、簡単に糞回収袋を脱着することができる。
【００１４】
以下、本考案を図面を用いて説明する。
本考案の愛玩動物用糞回収具は、本体６、糞収容袋７及び糞収容袋固定具５とからなるものである。そして、本体６、糞回収袋固定具７間の磁力によって糞回収袋８を固定するものである。これによって、糞回収袋を簡便に設置することができ、更に、回収時に取り外すことも容易である。
上述したような構成を有する愛玩動物用糞回収具を愛玩動物に装着した状態を示す模式図を図５として示した。
【００１５】
すなわち、愛玩動物にこのような糞回収袋を設置しようとすると、愛玩動物が動き回ることがしばしばある。このように動き回ったときでも、本考案の愛玩動物用糞回収具によると、磁石で簡単に糞回収袋を固定することができる。すなわち、少ない労力によって設置をすることができ、更に、手を汚すこともないという利点を有する。
【００１６】
本考案における本体６は、一般的には愛玩動物用の衣服であり、主に愛玩動物の下半身を覆うような形状で裁断・縫製された布帛、樹脂フィルム等からなるものを使用することができる。その形状は特に限定されるものではなく、公知の任意の形状のものとすることができる。また、本体を犬の体に装着するための装着具を有するものであってもよい。上記装着具としては特に限定されず、例えば、面ファスナー、ファスナー、ボタン、スナップ等を有するものとしてもよい。更に、装着具として、図１，２，４に示したように、ベルト及びベルト通し部を備えたものであってもよい。
【００１７】
上記本体６の具体的な形状を図１〜４に示した。これらの形状においては、それぞれ、面ファスナー２によって、本体を愛玩動物の下半身に固定することができる。更に、図１、２、４に示したような、本体においては胴部を通すためのベルト３及び当該ベルトを通すためのベルト通し部４を備えたものであってもよい。
【００１８】
図１，２に示した形状は、胴部を包み、その下で面ファスナー２間で固定する形状である。図３，４に示した形状は、愛玩動物脚部周囲を包み、面ファスナーによって両脚に本体を固定する形状である。これらのいずれであっても差し支えない。
【００１９】
上記本体は、磁石又は強磁性体を糞収容袋設置部近傍に有するものである。図１，３，４には、磁石又は強磁性体１として示した。このように、1か所又は複数個所に磁石又は強磁性体を本体中に備える。上述したように、本考案においては磁力によって糞収容袋を設置するものであることから、本体と糞収容袋固定具のうちの一方が磁石であり、他方は磁石又は、磁石とくっつく性質を有する強磁性体である。このような強磁性体としては鉄等を使用することができる。なお、両方が磁石であっても差し支えない。
【００２０】
上記磁石又は強磁性体１は、本体上に貼り付けたものであってもよいし、覆い布を縫いつけることによって本体中に封じ込めたものであってもよい。
【００２１】
上記磁石又は強磁性体１は、愛玩動物の胴体の両側に設置されるように、少なくとも2か所に存在することが好ましい。すなわち、少なくとも2か所において、本体中の磁石又は強磁性体及び糞収容袋固定具によって糞収容袋が固定されていると、糞収容袋が安定して固定されて外れにくくなる点で好ましい。
【００２２】
更に、本考案においては、糞収容袋固定具５を有するものである。愛玩動物に本体を装着しない状態で、このような糞収容袋固定具５を設置した状態を図２に示す。
図２においては、ダンベル型の糞収容袋固定具が本体の磁石上に固定された状態を示す。すなわち、図２において、糞収容袋固定具は、本体に設けた磁石又は強磁性体との間の磁力によって、固定されている。
【００２３】
糞収容袋固定具５の形状は、図２のようなダンベル型のほか、任意の形状(例えば、ひょうたん型、棒状、円形、楕円形等)とすることができる。また、本体６及び糞収容袋固定具５のそれぞれに、２個以上の磁石又は強磁性体１を備えたものであってもよい。このようにすることでより安定して糞収容袋を固定できる点で好ましい。
この場合は、本体６と糞収容袋固定具５における磁石又は強磁性体１の設置位置を略同一とすることで、安定した固定を図ることが好ましい。
【００２４】
糞収納袋固定具５の素材は特に限定されず、プラスチック、金属、布帛等の任意の素材を使用することができる。より具体的には、全体が磁石又は強磁性体からなるものであってもよいし、それ以外の素材からなるものに接着したり、封じこめたりしたものであってもよい。
【００２５】
本考案は、糞収容袋７を有するものである。当該糞回収袋７は、愛玩動物が糞をしたときに、その糞が収納される袋である。当該糞回収袋７は、その素材を特に限定されるものではないが、ポリエチレン製袋、ポリエチレンテレフタレート製袋等の樹脂製の袋を好適に用いることができる。このような袋は軽量で、柔軟性があるため、愛玩動物の動きを阻害しないことから好ましい。また、安価であるため、使用後そのまま廃棄してもコストの面で負担が少ない。
【００２６】
本考案の愛玩動物用糞回収具の形状は、愛玩動物の肛門部付近に袋口部が設置されるものである。ここでの設置は、大きな隙間を生じない状態で肛門部を覆うものである。これによって愛玩動物が糞をした場合に、袋中に落下しこれによって、肛門近傍に糞が付着することがない。
【００２７】
図５に本考案の愛玩動物用糞回収具を愛玩動物に着せた状態の一例を示す。糞収容袋７を本体の磁石又は強磁性体１上にかぶせ、その上から糞収容袋固定具５で挟むことにより糞収容袋７を安定して装着することができる。また、固定には磁石を使用したものであるため、飼い主の手や愛玩動物の体を汚すことなく糞回収袋７を簡単に素早く脱着することができる。
【００２８】
本考案の愛玩動物用糞回収袋７は、その形状を特に限定されず、糞回収袋７が愛玩動物の肛門周辺を覆い、排便後の糞が愛玩動物の体に触れない状態で保持されるものであればよい。よって、愛玩動物の肛門近傍に密着するような形状であることが好ましい。さらに、愛玩動物の尿道口付近も覆い、尿についても袋状の回収具中に回収するものとしてもよい。
【００２９】
上記糞回収袋は、愛玩動物の形状に合わせて、必要に応じた形状としてもよい。例えば、尻尾を有する動物である場合、尻尾を通すための孔８を設けることが好ましい。
このように孔８を設けた糞回収袋を有する愛玩動物用糞回収具を装着した状態を図5に示す。
図５のように、尻尾に糞回収袋の孔を通すと、これによって糞回収袋が愛玩動物の体に固定されて、外れにくくなる。このため、本考案の効果を良好に達成することができる。
【００３０】
本考案の愛玩動物用糞回収具は、そのほかに、愛玩動物の下半身用の衣服において公知の機能を有するものであってもよい。例えば、上半身用の衣服を別途作成して、これらを面ファスナーで連結したり、先端にクリップがついたリードを設け、このリードのクリップを首輪に挟むことで、首輪と一体化し、外れにくくしたりする方法等を挙げることができる。
【００３１】
本考案の愛玩動物用糞回収具は、任意の愛玩動物に適用することができるが、なかでも、犬、猫への使用が好ましく、犬への使用が最も好ましい。犬は、散歩させることが多いため、このような愛玩動物用糞回収具を使用することによる利点が特に大きい。
【産業上の利用可能性】
【００３２】
本考案の愛玩動物用糞回収具は、犬をはじめとする各種の愛玩動物に使用することができる。
【符号の説明】
【００３３】
１  磁石又は強磁性体
２  面ファスナー
３  ベルト
４  ベルト通し穴
５  糞収容袋固定具
６  本体
７  糞収容袋
８  孔
【図１】
0003217934.tif 000003
【図２】
0003217934.tif 000004
【図３】
0003217934.tif 000005
【図４】
0003217934.tif 000006
【図５】
0003217934.tif 000007
【手続補正書】
【提出日】平成30年7月11日(2018.7.11)
【手続補正１】
【補正対象書類名】実用新案登録請求の範囲
【補正対象項目名】全文
【補正方法】変更
【補正の内容】
【実用新案登録請求の範囲】
【請求項１】
本体、糞収容袋及び糞収容袋固定具を有する愛玩動物用糞回収具であって、
本体は、磁石又は強磁性体を糞収容袋設置部近傍に有するものであり、愛玩動物の下半身を覆うような形状であり、
糞収容袋固定具は、磁石若しくは強磁性体、又はこれらを内蔵するものであり、本体及び糞収容袋固定具の少なくとも一方において磁石が存在し、
糞収容袋を本体の磁石若しくは強磁性体上に載置し、前記糞収容袋固定具をその上に載置し磁力によって糞収容袋を本体上に固定することによって装着するものであることを特徴とする愛玩動物用糞回収具。
【請求項２】
更に、本体を犬の体に装着するための装着具を有するものである請求項１記載の愛玩動物用糞回収具。
【請求項３】
糞収容袋は、樹脂製袋である請求項１又は２記載の愛玩動物用糞回収具。
【請求項４】
糞収容袋は、尻尾を通す穴を有するものである請求項１、２又は３記載の愛玩動物用糞回収具。